(57)【要約】【課題】カードの挿入操作の他に別の手操作を要することなくカードを抜け止めすることができるカード用コネクタ装置の提供。【解決手段】挿入完了状態にあるカード１０の後端部１０ｃ付近で変位してカード１０の抜け止めを行なう抜け止め部材８を備え、この抜け止め部材８は、カード１０の挿抜を可能にするロック解除位置と、カード１０のロックが可能なロック位置との間で変位可能であると共に、常時ロック位置に付勢され、カード１０の挿入によってロック位置からロック解除位置へ変位する部材から成っている。また、カード挿入部４を覆う金属製のカバー部材２を備え、上述の抜け止め部材８は、カバー部材２の一部を折り曲げて形成されている。【選択図】図５
2006172747.tif 000002
【特許請求の範囲】
【請求項１】
挿入完了状態にあるカードの排出側端部を形成する後端部付近で変位して上記カードの抜け止めを行なう抜け止め部材を備え、
この抜け止め部材は、上記カードの挿抜を可能にするロック解除位置と、上記カードのロックが可能なロック位置との間で変位可能であると共に、常時上記ロック位置に付勢され、上記カードの挿入によって上記ロック位置から上記ロック解除位置へ変位する部材から成ることを特徴とするカード用コネクタ装置。
【請求項２】
上記請求項１記載の発明において、
上記抜け止め部材は、上記カードの挿入側端部を形成する前端部と当接して、この抜け止め部材を付勢力に抗して上記ロック解除位置へ変位させる案内部を有することを特徴とするカード用コネクタ装置。
【請求項３】
上記請求項１記載の発明において、
カード挿入部を覆う金属製のカバー部材を備え、上記抜け止め部材が、上記カバー部材の一部を折り曲げて形成されていることを特徴とするカード用コネクタ装置。
【請求項４】
上記請求項１〜３のいずれか１記載の発明において、
上記抜け止め部材は、上下方向に弾性変形可能な部材から成ることを特徴とするカード用コネクタ装置。
【請求項５】
上記請求項４記載の発明において、
カード挿入部が形成されるハウジングに、上記抜け止め部材が下方に変位した際に、この抜け止め部材との当接を避ける逃げ部を形成したことを特徴とするカード用コネクタ装置。
【発明の詳細な説明】
【技術分野】
【０００１】
本発明は、所定の装着位置に装着されたカードの抜け止めを行なう抜け止め部材を備えたカード用コネクタ装置に関する。
【背景技術】
【０００２】
この種の従来技術として、例えば特許文献１に記載の技術がある。この従来技術は、所定の装着位置に装着されたカードの後端部付近で手操作によって回動あるいは摺動するカードストッパを備えている。すなわち、所定の装着位置までカードが挿入された後、カードストッパを回動あるいは摺動させることにより、カードが抜け止めされるようになっている。
【特許文献１】特開平９−５０４９６号公報
【発明の開示】
【発明が解決しようとする課題】
【０００３】
上述した従来技術は、カードを所定の装着位置まで挿入した後に、さらにカードストッパを回動あるいは摺動させる手操作を必要とすることから、カードの抜け止め操作が煩雑になり、使い勝手が悪かった。
【０００４】
本発明は、上述した従来技術における実状からなされたもので、その目的は、カードの挿入操作の他に別の手操作を要することなくカードを抜け止めすることができるカード用コネクタ装置を提供することにある。
【課題を解決するための手段】
【０００５】
上記目的を達成するために、本発明は、挿入完了状態にあるカードの排出側端部を形成する後端部付近で変位して上記カードの抜け止めを行なう抜け止め部材を備え、この抜け止め部材は、上記カードの挿抜を可能にするロック解除位置と、上記カードのロックが可能なロック位置との間で変位可能であると共に、常時上記ロック位置に付勢され、上記カードの挿入によって上記ロック位置から上記ロック解除位置へ変位する部材から成ることを特徴としている。
【０００６】
このように構成した本発明は、カードが挿入されていない状態では、抜け止め部材はロック位置に付勢されている。この状態からカードを挿入すると、このカードの挿入によって抜け止め部材がロック位置からロック解除位置に変位し、カードを押し込むことができる。カードが所定の装着位置に装着されると、抜け止め部材がロック位置に付勢される。したがって、ロック位置に付勢される抜け止め部材によって所定の装着位置に装着されたカードを抜け止めすることができる。すなわち、カードの挿入操作の他には別の手操作を要することなくカードを抜け止めすることができる。
【０００７】
また本発明は、上記発明において、上記抜け止め部材は、上記カードの挿入側端部を形成する前端部と当接して、この抜け止め部材を付勢力に抗して上記ロック解除位置へ変位させる案内部を有することを特徴としている。このように構成した本発明は、カード挿入時には、カードの前端部がロック位置にある抜け止め部材の案内部に当接し、この抜け止め部材はロック解除位置へ変位し、カードの挿入が可能になる。すなわち、案内部を介してカードを円滑に挿入させることができる。
【０００８】
また本発明は、上記発明において、カード挿入部を覆う金属製のカバー部材を備え、上記抜け止め部材が、上記カバー部材の一部を折り曲げて形成されていることを特徴としている。このように構成した本発明は、カバー部材の製作時に同時に抜け止め部材を製作でき、この抜け止め部材の製作が容易であると共に、部品数の増加を抑えることができる。
【０００９】
また本発明は、上記発明において、上記抜け止め部材は、上下方向に弾性変形可能な部材から成ることを特徴としている。このように構成した本発明は、抜け止め部材が上方向に位置するときをロック位置、下方向に変位したときの位置をロック解除位置とすることができると共に、左右方向の変位を生じないようにすることができるので、装置の幅寸法の増加を抑えることができる。
【００１０】
また本発明は、上記発明において、カード挿入部が形成されるハウジングに、上記抜け止め部材が下方に変位した際に、この抜け止め部材との当接を避ける逃げ部を形成したことを特徴としている。このように構成した本発明は、抜け止め部材の上下方向の変位量を装置の厚さ寸法内に納めることが可能となる。
【発明の効果】
【００１１】
本発明は、常時ロック位置に付勢され、カードの挿入によってロック位置からロック解除位置へ変位する部材から成る抜け止め部材を備えた構成にしてあることから、カードの挿入操作の他には別の手操作を要することなくカードを抜け止めすることができ、従来に比べて操作が簡単で、使い勝手を向上させることができる。
【発明を実施するための最良の形態】
【００１２】
以下，本発明に係るカード用コネクタ装置を実施するための最良の形態を図に基づいて説明する。
【００１３】
図１は本発明のカード用コネクタ装置に係る一実施形態を示す図で、（ａ）図は平面図、（ｂ）図は正面図、（ｃ）図は背面図、（ｄ）図は左側面図、（ｅ）図は右側面図、図２は図１に示す状態からカバー部材を除いた状態を示す図で、（ａ）図は平面図、（ｂ）図は正面図、（ｃ）図は背面図、（ｄ）図は左側面図、（ｅ）図は右側面図である。
【００１４】
これらの図１，２に示すように、本実施形態は、基台を構成するハウジング１を備え、このハウジング１には、挿入口３と、後述のカード１０が装着されるカード挿入部４とが形成されている。また、後述のカード１０の下面に形成され、信号の送受信に活用される複数の外部接触部のそれぞれが導通可能な複数の外部接続端子５が設けられている。このハウジング１の上側部分には、図１に示すように、ハウジング１のカード挿入部４を覆う金属製のカバー部材２を設けてある。
【００１５】
ハウジング１内の一方の側部には、後述のカード１０の挿入に伴って、このカード１０の挿入側端部を形成する前端部１０ａの切欠き部１０ｂと係合し、カード１０と共にハウジング１の奥側に向って摺動するスライド部材６と、このスライド部材６を挿入口３の方向に付勢するばね部材７とを配置してある。これらのスライド部材６とばね部材７とによってカード排出機構が構成されている。
【００１６】
［本実施形態の要部構成］
本実施形態は、挿入完了状態、すなわちカード挿入部４の所定の装着位置に装着された後述のカード１０の排出側端部を形成する後端部１０ｃ付近で変位して、カード１０の抜け止めを行なう図１に示す抜け止め部材８を備えている。この抜け止め部材８は、特に、カード１０の挿抜を可能にするロック解除位置と、カード１０のロックが可能なロック位置との間で変位可能であると共に、常時ロック位置に付勢され、カード１０の挿入によってロック位置からロック解除位置へ変位する部材から成っている。
【００１７】
例えば、抜け止め部材８は、上述した金属製のカバー部材２の一部を折り曲げて形成され、上下方向に弾性変形可能になっている。この抜け止め部材８は、図１の（ｄ）、（ｅ）図に示すように、カード１０の前端部１０ａと当接して、この抜け止め部材８を自身の保有する弾性力、すなわち付勢力に抗してロック位置へ変位させる案内部８ａと、カード挿入部４の所定の装着位置に装着された後述のカード１０の後端部１０ｃが係止される係止部８ｂとを備えている。
【００１８】
また、図２等に示すように、ハウジング１には、抜け止め部材８が下方に変位した際に、この抜け止め部材８との当接を避ける逃げ部９を形成してある。
【００１９】
［本実施形態へのカードの挿入］
図３は本実施形態の挿入口にカードが挿入されたときの状態を示す図で、（ａ）図は平面図、（ｂ）図は正面図、（ｃ）図は背面図、（ｄ）図は左側面図、（ｅ）図は右側面図、図４は図３に示す状態からカバー部材を除いた状態を示す図で、（ａ）図は平面図、（ｂ）図は正面図、（ｃ）図は背面図、（ｄ）図は左側面図、（ｅ）図は右側面図である。
【００２０】
図５は本実施形態のカード挿入部の所定の装着位置にカードが装着されたときの状態を示す図で、（ａ）図は平面図、（ｂ）図は正面図、（ｃ）図は背面図、（ｄ）図は左側面図、（ｅ）図は右側面図、図６は図５に示す状態からカバー部材を除いた状態を示す図で、（ａ）図は平面図、（ｂ）図は正面図、（ｃ）図は背面図、（ｄ）図は左側面図、（ｅ）図は右側面図である。
【００２１】
カード１０が挿入されていない状態にあっては、抜け止め部材８は、図１に示すように、自身の保有する付勢力によって上方に位置している。すなわち、ロック位置に保持されている。また、スライド部材６は、図２に示すように、ばね部材７の付勢力によって挿入口３側に位置している。
【００２２】
この状態からカード１０が挿入されようとすると、カード１０の前端部１０ａが抜け止め部材８の案内部８ａに当接し、図３の（ｄ）、（ｅ）図の矢印１１で示すように、抜け止め部材８が下方に変位し、ロック解除位置に至ってカード１０の挿入が可能となる。さらにカード１０が押し込まれると、図４に示すように、カード１０の前端部１０ａの切欠き部１０ｂがスライド部材６に係合する。
【００２３】
なお、上述のように抜け止め部材８がロック解除位置まで下方に変位する間、この抜け止め部材８はハウジング１の逃げ部９によって形成される空間内を変位するので、抜け止め部材８がハウジング１に当接する事態を生じることがない。
【００２４】
引き続いてカード１０が押し込まれると、その押し込み力によってスライド部材６が、ばね部材７の付勢力に抗してハウジング１の奥側に向かって摺動し、カード１０が所定の装着位置に装着される。このとき、図５の（ｄ）、（ｅ）図の矢印１２で示すように、抜け止め部材８が上方に変位する。すなわち、抜け止め部材８がロック解除位置からロック位置に変位する。これにより、カード１０の後端部１０ｃが抜け止め部材８の係止部８ｂに係止され、カード１０がロックされる。つまりカード１０が抜け止めされる。
【００２５】
このようにカード１０が、抜け止め部材８の係止部８ｂによって抜け止めされ、ハウジング１のカード挿入部４の所定の装着位置に装着された状態では、カード１０の下面に形成される外部接触部のそれぞれと、ハウジング１の外部接続端子５のそれぞれとが導通し、カード１０に対する信号の送受信が可能となる。
【００２６】
［本実施形態からのカードの排出］
図５，６に示すように、カード１０がカード挿入部４の所定の装着位置に装着されている状態から、カード１０を排出するには、抜け止め部材８の例えば案内部８ａ付近を単に押し下げればよい。これによって、抜け止め部材８はロック位置からロック解除位置へ変位し、カード１０は図６に示すばね部材７の付勢力によって、スライド部材６と共にハウジング１の挿入口３方向に向って排出され、上述した図３，４に示す状態となる。この状態において、カード１０の抜き取りが可能となる。
【００２７】
カード１０が抜き取られると、抜け止め部材８は自身の保有する付勢力によって上方に変位する。すなわち、ロック解除位置からロック位置へ変位し、上述した図１，２に示す状態となる。
【００２８】
［本実施形態の効果］
このように構成した本実施形態によれば、カード１０の挿入操作の他には別の手操作を要することなく抜け止め部材８によってカード１０を抜け止めできるので簡単であり、使い勝手が良い。
【００２９】
また、抜け止め部材８の案内部８ａを介してカード１０をハウジング１のカード挿入部４へ円滑に挿入させることができる。
【００３０】
また、カバー部材２の製作時には同時に抜け止め部材を製作でき、この抜け止め部材８の製作が容易であると共に、部品数の増加を抑えることができる。
【００３１】
また、抜け止め部材８は、上下方向に弾性変形可能な部材からなり、左右方向の変位を生じないので、装置の幅寸法の増加が抑えられ、この点で装置の小型化を実現できる。
【００３２】
さらに、ハウジング１に逃げ部９を形成したことにより、抜け止め部材８の上下方向の変位量を装置の厚さ寸法内に納めることが可能となり、これにより装置の薄型化を実現できる。
【図面の簡単な説明】
【００３３】
【図１】本発明のカード用コネクタ装置に係る一実施形態を示す図で、（ａ）図は平面図、（ｂ）図は正面図、（ｃ）図は背面図、（ｄ）図は左側面図、（ｅ）図は右側面図である。
【図２】図１に示す状態からカバー部材を除いた状態を示す図で、（ａ）図は平面図、（ｂ）図は正面図、（ｃ）図は背面図、（ｄ）図は左側面図、（ｅ）図は右側面図である。
【図３】本実施形態の挿入口にカードが挿入されたときの状態を示す図で、（ａ）図は平面図、（ｂ）図は正面図、（ｃ）図は背面図、（ｄ）図は左側面図、（ｅ）図は右側面図である。
【図４】図３に示す状態からカバー部材を除いた状態を示す図で、（ａ）図は平面図、（ｂ）図は正面図、（ｃ）図は背面図、（ｄ）図は左側面図、（ｅ）図は右側面図である。
【図５】本実施形態のカード挿入部の所定の装着位置にカードが装着されたときの状態を示す図で、（ａ）図は平面図、（ｂ）図は正面図、（ｃ）図は背面図、（ｄ）図は左側面図、（ｅ）図は右側面図である。
【図６】図５に示す状態からカバー部材を除いた状態を示す図で、（ａ）図は平面図、（ｂ）図は正面図、（ｃ）図は背面図、（ｄ）図は左側面図、（ｅ）図は右側面図である。
【符号の説明】
【００３４】
１    ハウジング
２    カバー部材
３    挿入口
４    カード挿入部
５    外部接続端子
６    スライド部材
７    ばね部材
８    抜け止め部材
８ａ  案内部
８ｂ  係止部
９    逃げ部
１０  カード
１０ａ  前端部
１０ｂ  切欠き部
１０ｃ  後端部
【図１】
2006172747.tif 000003
【図２】
2006172747.tif 000004
【図３】
2006172747.tif 000005
【図４】
2006172747.tif 000006
【図５】
2006172747.tif 000007
【図６】
2006172747.tif 000008